(57)【要約】【課題】  取り扱いが煩雑になることなく、激しく波に巻かれることがあっても、サーフボードとの連繋が解除されないように確実に維持する流れ止め具を提供する。【解決手段】  ロープ22と、その一端に付設されてサーファーの身体に取り付けられる身体連繋具と、ロープ22の他端に付設されてサーフボードに取り付けられるサーフボード連繋具23と、を備える流れ止め具に於て、サーフボード連繋具23は、サーフボードの環状紐体１に通して折り返すと共に第１面状ファスナにて複数折り重なり状に保持される長手方向細長帯状の連繋本体２と、連繋本体２の幅方向から巻設されると共に第２面状ファスナ４にて保持可能な帯状の巻設部５と、を有する。【選択図】  図２
2006123660.tif 000002
【特許請求の範囲】
【請求項１】
ロープ（22）と、その一端に付設されてサーファーの身体に取り付けられる身体連繋具（21）と、該ロープ（22）の他端に付設されてサーフボード（30）に取り付けられるサーフボード連繋具（23）と、を備える流れ止め具に於て、
上記サーフボード連繋具（23）は、上記サーフボード（30）の環状紐体（１）に通して折り返すと共に第１面状ファスナ（３）にて複数折り重なり状に保持される長手方向細長帯状の連繋本体（２）と、該連繋本体（２）の幅方向から巻設されると共に第２面状ファスナ（４）にて保持可能な帯状の巻設部（５）と、を有することを特徴とする流れ止め具。
【請求項２】
上記巻設部（５）は、上記連繋本体（２）の幅方向から巻設される巻設本体（６）と、該巻設本体（６）の幅方向から巻設される帯状の補助巻設部（７）と、を有する請求項１記載の流れ止め具。
【請求項３】
上記巻設部（５）の上記補助巻設部（７）の幅は、上記巻設本体（６）の幅よりも小さく形成されている請求項２記載の流れ止め具。
【請求項４】
上記巻設本体（６）と上記補助巻設部（７）とは、上記巻設部（５）が十字状となるように熱溶着にてつなぎ合わされている請求項２又は３記載の流れ止め具。
【請求項５】
上記巻設部（５）の一方の端部は、上記連繋本体（２）に固着されている請求項１、２、３又は４記載の流れ止め具。
【発明の詳細な説明】
【技術分野】
【０００１】
本発明は、流れ止め具に係り、より詳しくは、サーフボードに使用される流れ止め具に関する。
【背景技術】
【０００２】
一般に、サーフボードを使用して波乗りする際には、サーフボードの紛失を防ぐために流れ止め具が使用される。この流れ止め具は、ロープと、その一端に付設されてサーファーの身体に取り付けられる身体連繋具と、ロープの他端に付設されてサーフボードに取り付けられるサーフボード連繋具と、を備えている。従来、このような流れ止め具について、種々の改良を行なっものが提案されている（例えば、特許文献１参照）。
特許文献１には、サーフボード連繋具や身体連繋具に緩衝材を使用してサーフボードに損傷を与えないようにした流れ止め具が開示されている。
図10及び図11は、従来の他の流れ止め具に於けるサーフボード連繋具を示す側面図である。従来のサーフボード連繋具40は、環状紐体41に通して折り返すと共に面状ファスナ43にて保持される長手方向細長帯状の連繋本体42を備えていた。
【特許文献１】特表２００４−５２６６１５号公報
【発明の開示】
【発明が解決しようとする課題】
【０００３】
しかしながら、図10及び図11に示すような従来の流れ止め具のサーフボード連繋具40では、例えばサーファーが波に乗るのに失敗したときに波に激しく巻かれるような荒波のコンディションの場合、環状紐体41が本来の位置（図10中のＩの位置）に納まらずに、面状ファスナ43の合せ面に食い込む異常な位置（図11中のＪの位置）に移動する虞れがあった。この場合、環状紐体41が面状ファスナ43の保持状態を解除して、連繋本体42と環状紐体41が分離する虞れがあった。その結果、サーファーが波に乗るのに失敗して波に激しく巻かれた場合に、サーフボードを紛失する虞れがあり危険であった。
そこで、本発明は、取り扱いが煩雑になることなく、激しく波に巻かれることがあっても、サーフボードとの連繋が解除されないように確実に維持する流れ止め具を提供することを目的とする。
【課題を解決するための手段】
【０００４】
上記の目的を達成するために、本発明に係る流れ止め具は、ロープと、その一端に付設されてサーファーの身体に取り付けられる身体連繋具と、該ロープの他端に付設されてサーフボードに取り付けられるサーフボード連繋具と、を備える流れ止め具に於て、上記サーフボード連繋具は、上記サーフボードの環状紐体に通して折り返すと共に第１面状ファスナにて複数折り重なり状に保持される長手方向細長帯状の連繋本体と、該連繋本体の幅方向から巻設されると共に第２面状ファスナにて保持可能な帯状の巻設部と、を有する。  また、上記巻設部は、上記連繋本体の幅方向から巻設される巻設本体と、該巻設本体の幅方向から巻設される帯状の補助巻設部と、を有する。
また、上記巻設部の上記補助巻設部の幅は、上記巻設本体の幅よりも小さく形成されている。
また、上記巻設本体と上記補助巻設部とは、上記巻設部が十字状となるように熱溶着にてつなぎ合わされている。
また、上記巻設部の一方の端部は、上記連繋本体に固着されている。
【発明の効果】
【０００５】
本発明の流れ止め具によれば、激しく波に巻かれることがあっても、サーフボードとの連繋が解除されないように確実に維持する流れ止め具とすることができる。また、従来の流れ止め具と比較して、取り扱いが煩雑になることのない流れ止め具とすることができる。
【発明を実施するための最良の形態】
【０００６】
以下、実施の形態を示す図面に基づき、本発明を詳説する。
図１〜図３に於て、本発明の実施の一形態に係る流れ止め具は、ロープ22と、その一端に付設されてサーファーの身体に取り付けられる身体連繋具21と、ロープ22の他端に付設されてサーフボード30に取り付けられるサーフボード連繋具23と、を備えている。そして、サーフボード連繋具23は、サーフボード30の環状紐体１に通して折り返すと共に第１面状ファスナ３にて複数折り重なり状に保持される長手方向細長帯状の連繋本体２と、連繋本体２の幅方向から巻設されると共に第２面状ファスナ４にて保持可能な帯状の巻設部５と、を有する。
なお、サーフボード30の後部には、流れ止め取付部13が形成されており、これに予め上記環状紐体１が取り付けられている。
【０００７】
図２〜図４に於て、連繋本体２は、ナイロン等の可撓性の材料にて形成され、第１面状ファスナ３と、帯状の基布体11と、を有している。
基布体11は、中央部８と、中央部８の一方の端部側に連設される袋状のロープ接続部９と、中央部８の他方の端部側に連設される折曲部10と、を有している。
ロープ接続部９は、ロープ22とサーフボード連繋具23が連結される部分である。
折曲部10は、中央部８との境界である折り曲げ位置Ｇを境として、中央部８に対して折曲げ自在とされている。この折曲部10の端部には、第１面状ファスナ３の被掛止部３ｂが設けられている。この被掛止部３ｂは、片面側にループ状の突起が複数形成された帯状の部材にて形成されている。具体的には、帯状の部材をループ状の突起が両面に現れるように大きく２つ折りにすると共に折り返された端部の一部をさらに折り返した状態で折曲部10に縫製により固着することによって、被掛止部３ｂが形成されている。これにより、被掛止部３ｂには、第１被掛止面ｃと第２被掛止面ｄと第３被掛止面ｅの３つの被掛止面が形成されている。
【０００８】
また、中央部８の上面側には、第１面状ファスナ３の掛止部３ａが設けられている。この掛止部３ａは、片面側にフック状の突起が複数形成された帯状の部材にて形成されている。より具体的には、帯状の部材のうちの約半分が、フック状の突起が上面側に現れるように、中央部８に縫製により固着されている。そして、残り半分が折り曲げ位置Ｈを境として折り曲げ自在とされると共にその端部が（両面にフック状の突起部分が現れるように）一部折り返された状態で縫製されている。これにより、掛止部３ａには、第１掛止面ｆと第２掛止面ｇと第３掛止面ｈの３つの掛止面が形成されている。環状紐体１の取付け使用状態に於て、この掛止部３ａの３つの掛止面は、被掛止部３ｂの３つの被掛止面に夫々対面状に重ね合わされて、掛止部３ａと被掛止部３ｂとの係合が行なわれるように構成されている。より具体的には、掛止部３ａの第１掛止面ｆと第２掛止面ｇと第３掛止面ｈは、夫々、被掛止部３ｂの第１被掛止面ｃ、第２被掛止面ｄ、第３被掛止面ｅと対面状に重ね合わされるように構成されている。
【０００９】
ここで、巻設部５は、連繋本体２の幅方向から巻設される巻設本体６と、巻設本体６の幅方向から巻設される帯状の補助巻設部７と、を有している。この巻設部５は、連繋本体２に対して着脱自在とされている。
巻設本体６は、可撓性の部材にて形成されている。この巻設本体６の一方の面には第２面状ファスナ４の掛止部４ａがほぼ全面に渡って形成され、他方の面には第２面状ファスナ４の被掛止部４ｂがほぼ全面に渡って形成されている。
【００１０】
巻設本体６の一方の端部は、図４に示すように、環状紐体１の取付け使用状態に於て、連繋本体２の掛止部３ａの第１掛止面ｆと被掛止部３ｂの第１被掛止面ｃとで上下に挟み込まれるようにして位置固定されている。この際、巻設本体６の被掛止部４ｂは、第１掛止面ｆと（重なり合って）係合している。また、巻設本体６の掛止部４ａは、連繋本体２の第１被掛止面ｃと（重なり合って）係合している。
また、巻設本体６の（第１掛止面ｆに重なり合わされていない）他方の端部は、環状紐体１の取付け使用状態に於て、巻設本体６の掛止部４ａと被掛止部４ｂとを係合させることによって位置保持されている。
【００１１】
補助巻設部７は、図３及び図４に示すように、巻設部５が十字状となるように、巻設本体６に縫製により固着されている。この補助巻設部７の幅は、巻設本体６の幅よりも小さく形成されている。より具体的には、補助巻設部７の幅は、連繋本体２の幅よりも小さく形成されている。この補助巻設部７の一方の面には第２面状ファスナ４の掛止部４ａがほぼ全面に渡って形成され、他方の面には第２面状ファスナ４の被掛止部４ｂがほぼ全面に渡って形成されている。
補助巻設部７は、環状紐体１の取付け使用状態に於て、連繋本体２の上面側に位置し、掛止部４ａと被掛止部４ｂが係合された巻設本体６の端部を巻設している。
【００１２】
次に、図３、図６及び図７を参照して、サーフボード連繋具23の連繋本体２を、環状紐体１に対して取付ける際の操作について説明する。
図３に示すように、まず、連繋本体２を、第１面状ファスナ３による保持が全て解除された状態にして、環状紐体１を、被掛止部３ｂ及び折曲部10に通して折り曲げ位置Ｇ付近に位置させる。次に、巻設部５（巻設本体６）の一方の端部を、巻設本体６の被掛止部４ｂが連繋本体２の掛止部３ａの第１掛止面ｆに重なり合うようにして、巻設本体６に取付ける（図３中の矢印Ａ）。
【００１３】
次に、連繋本体２の折曲部10を、折り曲げ位置Ｇを境にして中央部８側へ折り曲げる。そして、折曲部10の端部に設けられた被掛止部３ｂの第１被掛止面ｃを、巻設本体６の掛止部４ａ及び連繋本体２の第１掛止面ｆに重ね合わす（図３中の矢印Ｂ）。
そして、連繋本体２の掛止部３ａを、折り曲げ位置Ｈを境として中央部８側に折り曲げ、第２掛止面ｇを被掛止部３ｂの第２被掛止面ｄに重ね合わす（図３中の矢印Ｃ）。
そして、図６及び図７に示すように、連繋本体２の被掛止部３ｂの第３被掛止面ｅを、掛止部３ａの第３掛止面ｈに重ね合わす（図６中の矢印Ｄ）。この段階で、環状紐体１に通して折り返された折曲部10が、第１面状ファスナ３にて複数折り重なり状に保持されるように構成される。
【００１４】
次に、巻設部５（巻設本体６）の第１掛止面ｆに重ね合わされていない方の端部を、連繋本体２に巻設する（図６及び図７中の矢印Ｅ）。
そして、連繋本体２に巻設した側の巻設本体６の端部を、巻設本体６の掛止部４ａと被掛止部４ｂとの係合により位置保持させる。
そして、連繋本体２に巻設した側の巻設本体６の端部を、巻設本体６の幅方向から補助巻設部７により巻設して、その状態を、補助巻設部７の被掛止部４ｂと掛止部４ａとの係合により保持する（図７中の矢印Ｆ、Ｌ）。このようにして、サーフボード連繋具23の連繋本体２を、環状紐体１に対して取付ける操作が完了する。
【００１５】
図８は、本発明の第二の実施の形態に係る流れ止め具の巻設部を示す斜視図である。図８に示す巻設部５では、図１〜７に示した巻設部５と比較して、補助巻設部７と巻設本体６とのつなぎ合わせ方法が異なる場合を例示している。即ち、補助巻設部７が巻設本体６に縫製によりつなぎ合わされるのではなく、巻設本体６と補助巻設部７が、巻設部５が十字状となるように、熱溶着にてつなぎ合わされている。
【００１６】
図９は、本発明の第三の実施の形態に係る流れ止め具のサーフボード連繋具を示す斜視図である。第三実施形態では、第一実施形態と異なり、巻設部５の一方の端部が、連繋本体２に固着される場合を例示している。即ち、第一実施形態では、巻設部５を、連繋本体２に対して第２面状ファスナ４にて着脱自在となるように構成したが、第三実施形態では、巻設部５（巻設本体６）の一方の端部が、連繋本体２に対して縫製Ｚにて固着されている。
【００１７】
なお、本発明は、上述の実施の形態に限定されず、本発明の要旨を逸脱しない範囲で設計変更可能である。例えば、巻設部５の補助巻設部７は、巻設部５が十字状となるように巻設本体６に（一つのみ）固着されたものに限るのではなく、複数設けるも好ましい。また、巻設部５が補助巻設部７を有していなくてもよい。
【００１８】
以上のように本発明に係る流れ止め具は、ロープ22と、その一端に付設されてサーファーの身体に取り付けられる身体連繋具21と、ロープ22の他端に付設されてサーフボード30に取り付けられるサーフボード連繋具23と、を備える流れ止め具に於て、サーフボード連繋具23は、サーフボード30の環状紐体１に通して折り返すと共に第１面状ファスナ３にて複数折り重なり状に保持される長手方向細長帯状の連繋本体２と、連繋本体２の幅方向から巻設されると共に第２面状ファスナ４にて保持可能な帯状の巻設部５と、を有するので、巻設部５の第２面状ファスナ４の保持力により第１面状ファスナ３の保持状態が解除されるのを抑制することができる。これにより、複数折り重なり状の第１面状ファスナ３の掛止部３ａと被掛止部３ｂとの係合を解除する方向に環状紐体１が引っ張られても（図５中の矢印Ｋ方向）、容易にその係合が解除されないように構成することができる。その結果、激しく波に巻かれることがあっても、サーフボード30との連繋が解除されないように確実に維持する流れ止め具とすることができる。
【００１９】
また、巻設部５の保持を第２面状ファスナ４にて行なうことによって、第２面状ファスナ４の掛止部４ａと被掛止部４ｂとの合せ面が少しずれていても問題なく掛止部４ａと被掛止部４ｂとを係合させることができる。これにより、取り扱いが煩雑になることのないサーフボード連繋具23とすることができるので、従来の流れ止め具と比較して、取り扱いが煩雑になることのない流れ止め具とすることができる。
【００２０】
また、巻設部５は、連繋本体２の幅方向から巻設される巻設本体６と、巻設本体６の幅方向から巻設される帯状の補助巻設部７と、を有するので、巻設本体６の第２面状ファスナ４による保持状態が解除されるのを補助巻設部７にて抑制することができる。これにより、連繋本体２に対する巻設部５の保持力をより増加させることができるので、よりサーフボード30との連繋が解除されにくい流れ止め具とすることができる。
【００２１】
また、巻設部５の補助巻設部７の幅を、巻設本体６の幅よりも小さく形成することによって、長手方向細長帯状の連繋本体２の形状を大きく損なうことなく、連繋本体２に対する保持力が大きくなるように巻設部５を構成することができ、従来のサーフボード連繋具40と比較して、コンパクトさを維持しつつサーフボード30との連繋が解除されないように確実に維持する流れ止め具とすることができる。
また、巻設本体６と補助巻設部７とを、巻設部５が十字状となるように熱溶着にてつなぎ合わすことによって、巻設本体６と補助巻設部７とを重ね合わせて縫製を行なう場合と比較して、巻設部５の厚みを小さくすることができる。これにより、巻設部５を連繋本体２に巻設したときにサーフボード連繋具23の全体の大きさを小さくすることができるので、従来のサーフボード連繋具40と比較して、コンパクトさを維持しつつサーフボード30との連繋が解除されないように確実に維持する流れ止め具とすることができる。
【００２２】
また、巻設部５の一方の端部を、連繋本体２に固着させることによって、巻設部５の第２面状ファスナ４と連繋本体２の第１面状ファスナ３とによる保持状態を解除した際、巻設部５と連繋本体２との分離を防止することができる。これにより、巻設部５の紛失を防止することができるので、取り扱い性に優れた流れ止め具とすることができる。
【図面の簡単な説明】
【００２３】
【図１】本発明の実施の一形態に係る流れ止め具を示す斜視図である。
【図２】環状紐体の取付け使用状態を示す要部拡大斜視図である。
【図３】第１面状ファスナ及び第２面状ファスナによる保持状態を解除した状態を示す要部拡大斜視図である。
【図４】一部破断拡大側面図である。
【図５】一部破断拡大側面図である。
【図６】連繋本体を環状紐体に対して取付ける際の操作説明用の斜視図である。
【図７】操作説明用斜視図である。
【図８】本発明の第二の実施の形態に係る流れ止め具の巻設部を示す斜視図である。
【図９】本発明の第三の実施の形態に係る流れ止め具のサーフボード連繋具を示す斜視図である。
【図１０】従来の流れ止め具のサーフボード連繋具を示す側面図である。
【図１１】従来の問題点を示すサーフボード連繋具の側面図である。
【符号の説明】
【００２４】
１  環状紐体
２  連繋本体
３  第１面状ファスナ
４  第２面状ファスナ
５  巻設部
６  巻設本体
７  巻設補助部
21  身体連繋具
22  ロープ
23  サーフボード連繋具
30  サーフボード
【図１】
2006123660.tif 000003
【図２】
2006123660.tif 000004
【図３】
2006123660.tif 000005
【図４】
2006123660.tif 000006
【図５】
2006123660.tif 000007
【図６】
2006123660.tif 000008
【図７】
2006123660.tif 000009
【図８】
2006123660.tif 000010
【図９】
2006123660.tif 000011
【図１０】
2006123660.tif 000012
【図１１】
2006123660.tif 000013